(57)【特許請求の範囲】
【請求項１】
筐体と、
前記筐体に設けられたベース本体と、
前記ベース本体に設置された熱交換器と、
前記ベース本体に回転自在に支持され、室内の空気を導入して前記熱交換器を通過させた空調空気を前記室内に送出するモータ駆動のクロスフローファンと、
モータブラケットを介して前記ベース本体の側壁の外側に取り付けられ、前記側壁に設けた軸穴を通る出力軸が前記クロスフローファンと連結されるモータと、
前記モータブラケットに一体的に設けられ、前記モータの所定の取付位置で前記軸穴の周囲を取り囲むように前記モータ側となる前記ベース本体の前記側壁の面に対して直接全周にわたって接する当接部と、を備え、
前記当接部は、前記側壁の面に接する複数のリング状凸部を備え、
前記リング状凸部の突出高さを自由端とした先端部側から基部側へ段階的に増大させることを特徴とする室内機ユニット。
【請求項２】
前記当接部の基部と連結されて前記モータ側へ延在するブラケット側円筒部を備えることを特徴とする請求項１に記載の室内機ユニット。
【請求項３】
前記当接部と前記ブラケット側円筒部との連結部に全周にわたって凹部を設けるとともに、前記凹部に遮風部材を設置したことを特徴とする請求項２に記載の室内機ユニット。
【請求項４】
筐体と、
前記筐体に設けられたベース本体と、
前記ベース本体に設置された熱交換器と、
前記ベース本体に回転自在に支持され、室内の空気を導入して前記熱交換器を通過させた空調空気を前記室内に送出するモータ駆動のクロスフローファンと、
モータブラケットを介して前記ベース本体の側壁の外側に取り付けられ、前記側壁に設けた軸穴を通る出力軸が前記クロスフローファンと連結されるモータと、
前記モータブラケットに一体的に設けられ、前記モータの所定の取付位置で前記軸穴を取り囲むように前記モータ側となる前記ベース本体の前記側壁の面に対して直接全周にわたって接する当接部と、を備え、
前記当接部は、前記側壁の面に接する複数のリング状凸部を備え、
前記リング状凸部の突出高さを自由端とした先端部側から基部側へ段階的に増大させることを特徴とする室内機ユニット。
【請求項５】
筐体と、
前記筐体に設けられたベース本体と、
前記ベース本体に設置された熱交換器と、
前記ベース本体に回転自在に支持され、室内の空気を導入して前記熱交換器を通過させた空調空気を前記室内に送出するモータ駆動のクロスフローファンと、
モータブラケットを介して前記ベース本体の側壁の外側に取り付けられ、前記側壁に設けた軸穴を通る出力軸が前記クロスフローファンと連結されるモータと、
前記モータブラケットに一体的に設けられ、前記モータの所定の取付位置で前記軸穴を取り囲むように前記モータ側となる前記ベース本体の前記側壁の面に対して直接全周にわたって接する当接部と、
前記当接部の基部と連結されて前記モータ側へ延在するブラケット側円筒部と、
を備え、
前記当接部と前記ブラケット側円筒部との連結部に全周にわたって凹部を設けるとともに、前記凹部に遮風部材を設置したことを特徴とする室内機ユニット。
【請求項６】
筐体と、
前記筐体に設けられたベース本体と、
前記ベース本体に設置された熱交換器と、
前記ベース本体に回転自在に支持され、室内の空気を導入して前記熱交換器を通過させた空調空気を前記室内に送出するモータ駆動のクロスフローファンと、
モータブラケットを介して前記ベース本体の側壁の外側に取り付けられ、前記側壁に設けた軸穴を通る出力軸が前記クロスフローファンと連結されるモータと、
前記モータブラケットに一体的に設けられ、前記モータの所定の取付位置で前記軸穴の周囲を取り囲むように前記モータ側となる前記ベース本体の前記側壁の面に対して直接全周にわたって接する当接部と、
前記当接部の基部と連結されて前記モータ側へ延在するブラケット側円筒部と、
を備え、
前記当接部と前記ブラケット側円筒部との連結部に全周にわたって凹部を設けるとともに、前記凹部に遮風部材を設置したことを特徴とする室内機ユニット。
【請求項７】
請求項１から６のいずれか１項に記載の室内機ユニットと、
冷媒を圧縮するための圧縮機、及び冷媒と室外の空気との熱交換を行わせるための室外熱交換器を有する室外機ユニットと、
前記室内機ユニットおよび前記室外機ユニットを連結するとともに、前記室内機ユニット及び前記室外機ユニットの間で冷媒を循環させるための冷媒配管と、を備えていることを特徴とする空気調和機。
【発明の詳細な説明】
【技術分野】
【０００１】
本発明は、室内機ユニット及び空気調和機に係り、特に、室内機ユニットにおけるクロスフローファンの軸部遮風構造に関する。
【背景技術】
【０００２】
空気調和機は、室内空間等の空調（冷房、暖房及び除湿）を行う装置であり、一般的には主な構成要素として室外機ユニット及び室内機ユニットを備えている。
室内機ユニットは、室内から導入した空気（フレッシュエア）を熱交換器に通して空調した空調空気を送出するため、筐体内にモータで駆動されるクロスフローファンを備えている。このクロスフローファンは、室内機ユニットの筐体に設けられたベース本体に回転自在に支持されている。そして、ベース本体の一側部にはモータブラケットを介してモータが取り付けられ、このモータの出力軸がベース本体の側壁を貫通してクロスフローファンに連結されている。
【０００３】
このような空気調和機の室内機ユニットでは、クロスフローファンの軸部において、冷房運転時に筐体のベースとモータブラケットとの隙間から除湿されていないフレッシュエアが誘引（バイパス）されると、このフレッシュエアがベース本体内部で冷やされてクロスフローファンに結露する。
従来の室内機ユニットにおいては、上述したフレッシュエアの誘引を防止するため、ベースとモータブラケットとの間に遮風部品を貼り付けて隙間を塞ぐクロスフローファンの軸部遮風構造が採用されている。なお、従来の遮風部品としては、例えば発泡ポリスチレンのように、弾力性のある素材が使用されている。
【０００４】
また、下記の特許文献１では、モータ４を収納するケーシング５及びモータカバー６と、仕切り板７との間を、カバー部品１１などに貼り付けられたインスレーション１２、１３によって密着させ、遮蔽することが記載されている。
【先行技術文献】
【特許文献】
【０００５】
【特許文献１】特開２００２−４８３５５号公報（段落［００１１］など）
【発明の概要】
【発明が解決しようとする課題】
【０００６】
上述したように、空気調和機の室内機ユニットにおいては、冷房運転時にクロスフローファンの軸部からフレッシュエアが誘引されることに起因する結露を防止するため、ベースとモータブラケットの隙間に遮風部品を張り付ける軸部遮風構造を採用している。
しかし、従来の軸部遮風構造や特許文献１で開示された技術は、ベースとモータブラケットとの間に別体の遮風部品を貼り付けるものであるから、軸部遮風構造を改良して部品点数及び組立作業工数の低減を実現することが望まれる。
【０００７】
本発明は、上記の課題を解決するためになされたもので、その目的とするところは、部品点数及び組立作業工数を低減できるクロスフローファンの軸部遮風構造を有する室内機ユニット及びこの室内機ユニットを備えた空気調和機を提供することにある。
【課題を解決するための手段】
【０００８】
本発明は、上記の課題を解決するため、下記の手段を採用した。
本発明に係る室内機ユニットは、筐体と、前記筐体に設けられたベース本体と、前記ベース本体に設置された熱交換器と、前記ベース本体に回転自在に支持され、室内の空気を導入して前記熱交換器を通過させた空調空気を前記室内に送出するモータ駆動のクロスフローファンと、モータブラケットを介して前記ベース本体の側壁の外側に取り付けられ、前記側壁に設けた軸穴を通る出力軸が前記クロスフローファンと連結されるモータと、前記モータブラケットに一体的に設けられ、前記モータの所定の取付位置で前記軸穴の周囲を取り囲むように前記モータ側となる前記側壁の面に対して直接全周にわたって接する当接部と、を備えていることを特徴とするものである。
【０００９】
このような本発明によれば、モータブラケットに一体的に設けられ、モータの所定の取付位置で軸穴の周囲を取り囲むようにモータ側となる側壁の面に対して直接全周にわたって接する当接部を備えているので、モータブラケットと一体の当接部が軸穴の周囲に接して、側壁に対しクロスフローファン側と、側壁に対しモータ側とを分離するシール部を形成する。この結果、クロスフローファンとモータとの連結部においては、熱交換器を通過しない空気（フレッシュエア）が軸穴を通ってクロスフローファンに誘引されることを防止できる。そして、このようなクロスフローファンの軸部遮風構造は、当接部がモータブラケットと一体化されているので、部品点数や組立時の作業工数を低減できる。
なお、上述したモータブラケットは、例えばポリプロピレン等のように弾性を有する樹脂成形部品とし、当接部をベース本体の側壁の面に押し付けてシール部を形成することとしてもよい。
【００１０】
上記の発明において、前記当接部は、前記側壁の面に面接触する板状部材であってもよい。
【００１１】
これにより、板状部材の当接部が軸穴の周囲全周に面接触して、側壁に対しクロスフローファン側と、側壁に対しモータ側とを分離するシール部を形成する。
【００１２】
この場合、前記板状部材は、自由端とした先端部側を前記クロスフローファンに近づく方向へ傾斜させて成形されていてもよい。
【００１３】
これにより、板状部材を弾性変形させて面接触させることにより、ベース本体の側壁の面に対する密着性（シール性）をより一層向上させることができる。
【００１４】
上記の発明において、前記当接部は、前記側壁の面に接する１または複数のリング状凸部を備えていてもよい。
【００１５】
これにより、当接部のリング状凸部が軸穴の周囲全周に線接触して、側壁に対しクロスフローファン側と、側壁に対しモータ側とを分離するシール部を形成する。この場合、リング状凸部を複数設けておけば、すなわち径の異なるリング状凸部を設けておけば、複数段階のシール部を形成することができ、遮風性能を向上させることができる。
【００１６】
上記の発明において、前記当接部は、前記側壁の面に接する複数のリング状凸部を備え、前記リング状凸部の突出高さを自由端とした先端部側から基部側へ段階的に増大させてもよい。
【００１７】
これにより、少なくとも一つのリング状凸部がベース本体の側壁の面に線接触して密着するので、当接部を傾斜させなくても良好な密着性（シール性）を得ることができる。
【００１８】
上記の発明において、前記当接部の基部と連結されて前記モータ側へ延在するブラケット側円筒部を備えてもよい。
【００１９】
これにより、当接部とブラケット側円筒部は、折曲された形状となるため、当接部が側壁の面に接触したとき、当接部の基部を基点にして当接部がモータブラケット側へ傾いて、当接部と側壁の面を弾性的に接触させることができる。
【００２０】
上記の発明において、前記当接部と前記ブラケット側円筒部との連結部に全周にわたって凹部を設けるとともに、前記凹部に遮風部材を設置してもよい。
【００２１】
これにより、凹部に配置した遮風部材によるシールもなされるので、フレッシュエアの流通をより確実にシールすることが可能となる。
【００２２】
また、本発明に係る空気調和機は、上述した本発明の室内機ユニットと、冷媒を圧縮するための圧縮機、及び冷媒と室外の空気との熱交換を行わせるための室外熱交換器を有する室外機ユニットと、前記室内機ユニットおよび前記室外機ユニットを連結するとともに、前記室内機ユニット及び前記室外機ユニットの間で冷媒を循環させるための冷媒配管と、を備えていることを特徴とするものである。
【００２３】
このような本発明によれば、室内機ユニットが上述したクロスフローファンの軸部遮風構造を有することによって、モータブラケットと一体化された当接部により部品点数や組立時の作業工数を低減してフレッシュエアの誘引を防止できる。
【発明の効果】
【００２４】
上述した本発明の室内機ユニットによれば、クロスフローファンの軸部遮風構造にモータブラケットと一体化された当接部を用いているので、部品点数及び組立作業工数を低減してフレッシュエアの誘引を確実に防止することができる。この結果、クロスフローファンにおいては、誘引したフレッシュエアに起因する結露を確実に防止できるため、室内機ユニット及びこの室内機ユニットを備えた空気調和機の商品性向上に顕著な効果が得られる。
【図面の簡単な説明】
【００２５】
【図１】本発明に係る室内機ユニット及び空気調和機の一実施形態を示す図であり、（ａ）はクロスフローファンの軸部遮風構造を示す要部拡大断面図、（ｂ）は当接部に設ける傾斜を示す図である。
【図２】図１に示したクロスフローファンの軸部遮風構造に係る第１変形例を示す要部拡大断面図である。
【図３】図１に示したクロスフローファンの軸部遮風構造に係る変形例を示す図であり、（ａ）は第２変形例を示す要部拡大断面図、（ｂ）は当接部の構造が第２変形例と異なる第３変形例を示す図である。
【図４】空気調和機の構成例を示す斜視図である。
【図５】室内機ユニットのベース本体にモータを取り付けた状態を示す図である。
【図６】図５のベース本体側から見た分解斜視図である。
【図７】図５のモータ側から見た分解斜視図である。
【図８】図１（ａ）の当接部を備えたモータブラケットの構成例を示す断面図である。
【図９】図３（ａ）の当接部を備えたモータブラケットの構成例を示す断面図である。
【発明を実施するための形態】
【００２６】
以下、本発明に係る室内機ユニット及び空気調和機の一実施形態を図面に基づいて説明する。
図４に示すように、室内空間等の空調（冷房、暖房及び除湿）を行う空気調和機１は、室外機ユニット１０及び室内機ユニット２０を主な構成要素とする装置である。室外機ユニット１０及び室内機ユニット２０の間は、冷媒配管５０により接続されて閉回路の冷媒流路が形成されている。また、室外機ユニット１０及び室内機ユニット２０の間は、電源及び制御用の電線（不図示）によっても接続されている。
なお、図中の符号６０は、運転操作用のリモートコントローラであり、これにより空気調和機１の各種運転状態が設定されるようになっている。
【００２７】
室外機ユニット１０は、略直方体形状とした筐体１１の内部に、冷媒を圧縮するための圧縮機１２、冷媒と室外の空気との間で熱交換を行わせるための室外熱交換器１３、及び室外熱交換器１３における冷媒と室外の空気との熱交換を促進させる室外ファン１４を備えている。また、筐体１１の内部には、図示しない四方弁、電子膨張弁及び制御部等も配設されている。
室外熱交換器１３は、四方弁を操作して冷媒の循環方向を切り替えることにより、冷房運転時は凝縮器として、また、暖房運転時は蒸発器として機能する熱交換器である。
【００２８】
室内機ユニット２０は、横長の略直方体形状とした筐体２１を備えている。この筐体２１は、ベース本体２２、壁に設置された状態においてベース本体２２にその前方部位を上下、左右、及び前面から被うように取り付けられたフロントカバー２３、及びフロントカバー２３の前面に取り付けられたフロントパネル２４によって概略構成されている。
【００２９】
室内機ユニット２０は、室内から空調前の空気（以下、「フレッシュエア」と呼ぶ）を取り入れるためにフロントカバー２３に設けられた吸込グリル（吸込口）２５、吸込グリル２５から取り入れられたフレッシュエアを冷却または加熱するために設けられた室内熱交換器２６、室内熱交換器２６で熱交換された空気（以下、「空調空気」と呼ぶ）を室内へ戻すためにフロントパネル２４に設けられた吹出口２７、吸込グリル２５からフレッシュエアを取り入れるとともに、吹出口２７から室内に空調空気を吹き出させるために設けられたクロスフローファン２８を主な構成要素として備えている。
【００３０】
室内熱交換器２６及びクロスフローファン２８は、筐体２１の内部においてベース本体２２に支持されている。
また、図中の符号２９はフィルターであり、吸込グリル２５を通過して室内熱交換器２６に導かれるフレッシュエア中に含まれる塵・ゴミ等の不純物を取り除くために設けられている。なお、吹出口２７には、空調空気の吹出方向を調整するため、図示しないルーバー及びフラップが設けられている。
室内熱交換器２６は、冷媒の循環方向に応じて、冷房運転時は蒸発器として、また、暖房運転時は凝縮器として機能する熱交換器である。
【００３１】
さて、上述した構成の室内機ユニット２０においては、モータ３０を駆動源とするクロスフローファン２８が、室内機ユニット２０の筐体２１を構成するベース本体２２に回転自在に支持されている。このクロスフローファン２８は、吸込グリル２５と吹出口２７との間を連結するようにしてベース本体２２に形成された空気流路内に配置されている。そして、クロスフローファン２８とモータ３０との連結部は、以下に説明するように構成された遮風構造となっている。
【００３２】
以下では、図１及び図５〜８に基づいて、クロスフローファン２８とモータ３０とが連結される軸部遮風構造を詳細に説明する。なお、クロスフローファン２８は、ベース本体２２の一側部（図示の例では正面から見て右側）でモータ３０と連結されるが、図５〜７においては、ベース本体２２内に設置されるクロスフローファン２８の図示が省略されている。
クロスフローファン２８は、ベース本体２２の側壁２２ａに設けた軸穴２２ｂを貫通するモータ３０の出力軸３１と連結される。
【００３３】
モータ３０は、側壁２２ａの外壁側にモータブラケット４０を介して取り付けられる。このモータブラケット４０は、例えばポリプロピレンのような弾性を有する樹脂成形部品である。このモータブラケット４０は、モータ３０の周囲を覆う壁面に適宜開口部を設けた略円筒形状とされ、例えばモータ３０の出力軸３１の軸方向に対し左半分側と右半分側に分割可能な構造となっている。
一方、ベース本体２２の側壁２２ａには、モータブラケット４０の内部に収納されたモータ３０を挿入して所定位置に固定設置するため、略円筒形状としたモータ収納部２２ｃが突設されている。このモータ収納部２２ｃは、モータ３０の軸方向両端に設けられた軸受部の一方に対応している側壁２２ａ側の小径部と、モータ３０の本体部分に対応して拡径させた大径部とを備えている。なお、モータブラケット４０とベース本体２２との間は、図示しないボルトを用いて固定される。
【００３４】
また、モータブラケット４０のクロスフローファン２８側となる一側壁面には、出力軸３１を貫通させるための開口部４１が設けられている。この開口部４１には、外周側端部に沿って出力軸３１の軸方向外向き（側壁２２ａの方向）に突出する第１円筒部４２が設けられている。
さらに、第１円筒部４２の先端部には、出力軸３１の軸中心方向へ折曲された略リング状平板の第１鍔部４３と、この第１鍔部４３から出力軸３１の軸方向外向きに突出させた第２円筒部４４と、出力軸３１の軸中心方向とは逆向き（外向き）に折曲された略リング状平板の第２鍔部４５とが設けられている。
【００３５】
第２円筒部４４は、第１鍔部４３の内周側端部に沿って、側壁２２ａに向けて出力軸３１の軸方向へ突出する部分であり、少なくともモータ３０の出力軸３１を通す内径寸法を有している。
第２鍔部４５は、第２円筒部４４の先端部から外向きに形成された略板状部分であり、モータ３０を所定位置に固定した状態において、上述したベース本体２２のモータ３０側となる側壁２２ａの面に対して軸穴２２ｂを取り囲むように直接全周にわたって接することにより、軸穴２２ｂの周囲を塞ぐ当接部の機能を有している。
【００３６】
すなわち、この第２鍔部４５は、クロスフローファン２８と、モータブラケット４０を介してベース本体２２の側壁２２ａの外側に取り付けられるモータ３０とが、側壁２２ａの軸穴２２ｂを通るモータ３０の出力軸３１によって連結されるクロスフローファン２８の軸部遮風構造において、所定の取付位置で軸穴２２ｂの周囲を取り囲むように側壁２２ａに外側（モータ３０側）から接することで、側壁２２ａに対しクロスフローファン２８側とモータ３０側とを分離するシール部を形成する部分であり、モータブラケット４０と一体に設けられた部材である。換言すれば、第２鍔部４５は、側壁２２ａの軸穴２２ｂを介して、側壁２２ａに対しクロスフローファン２８側とその外側とが連通することを防止する部材である。
【００３７】
図１（ａ）は、上述したクロスフローファン２８の軸部遮風構造について、モータ３０を所定位置に取り付けてシール部を形成した状態を示す要部拡大断面図である。
図示の状態では、板状部材の第２鍔部４５が、ベース本体２２のモータ３０側となる側壁２２ａの面に対して、軸穴２２ｂを取り囲むようにして全周にわたって面接触するシール部となっている。このため、モータブラケット４０の外側を通って軸穴２２ｂに連通するフレッシュエアの流路については、側壁２２ａに対する第２鍔部４５の面接触により遮断された（塞がれた）状態となる。なお、第２鍔部４５は、モータブラケット４０と一体に弾性を有する樹脂で成形された板状部材であるから、ベース本体２２の側壁２２ａの面に押し付けられる位置にモータ３０を固定設置すれば、弾性により良好な密着性（シール性）を得ることができる。
【００３８】
また、モータ３０は、図５に示すように、第１円筒部４２の内周面に対しモータ３０の軸方向端部の外周面が密着してシール部を形成し、このシール部においてもフレッシュエアの流通が遮断されている。
このように、クロスフローファン２８を設置したベース本体２２の側壁２２ａに対しクロスフローファン２８側と、側壁２２ａに対しモータ３０側とは、２箇所のシール部により分離されてフレッシュエアの流通が遮断されている。この結果、クロスフローファン２８とモータ３０との連結部においては、フレッシュエアが軸穴２２ｂを通ってクロスフローファン２８に誘引されることを防止でき、従って、フレッシュエアがクロスフローファン２８に誘引されて結露することも防止できる。また、上述した当接部の第２鍔部４５は、モータブラケット４０と一体化されているので、別体の従来構造と比較して部品点数が低減されるだけでなく、遮風部品の張付作業が不要となるため組立時の作業工数を低減できるという利点もある。
【００３９】
さらに、上述した第２鍔部４５は、例えば図１（ｂ）に示すように、自由端とした先端部側（外周側端部）を側壁２２ａ側へ寸法Ｓ（１ｍｍ程度）だけ傾斜させて成形されることが望ましい。この寸法Ｓは、モータ３０をベース本体２２の所定位置に取り付けて固定した状態において、弾性を有する樹脂製の第２鍔部４５が軸方向の遊び（ずれ）を吸収するために有効である。すなわち、寸法Ｓだけ傾斜させた第２鍔部４５は、図中に想像線で示す傾斜状態から、実線で示す第２鍔部４５’のように弾性変形するので、側壁２２ａに対する密着をより確実にすることができる。第２鍔部４５と第２円筒部４４は、折曲された形状となるため、第２鍔部４５が側壁２２ａの面に接触したとき、第２鍔部４５の基部を基点にして第２鍔部４５がモータブラケット４０側へ傾いて、第２鍔部４５と側壁２２ａの面を弾性的に接触させることができる。
【００４０】
また、図２に示す第１変形例のように、当接部となる第２鍔部４５と第２円筒部４４との連結部に全周にわたる凹部４６を設け、この凹部４６の空間を埋めるようにして遮風部材５１を設置してもよい。ここで使用する遮風部材５１としては、例えば発泡ポリスチレンのように、弾力性のある素材が望ましい。なお、自由端となる第２鍔部４５の先端部側については、図１（ｂ）に示したように、寸法Ｓの傾斜を設けた形状としてもよい。
このような構造とすれば、上述した第２鍔部４５による面接触のシール構造に加えて、凹部４６に配置した遮風部材５１によるシールもなされるので、２段階のシール構造によりフレッシュエアの流通をより確実にシールすることが可能となる。
【００４１】
また、図３（ａ）及び図９に示す第２変形例の当接部は、上述した第２鍔部４５の面接触と異なり、側壁２２ａにリング状凸部４７の先端部を線接触させてシールする構造となっている。すなわち、第２変形例の第２鍔部４５Ａは、側壁２２ａと対向する面に、側壁２２ａの面に接する１または複数のリング状凸部４７を備えている。このリング状凸部４７は、第２円筒部４４の外周側全周に設けられた円形の突出部であり、複数設ける場合は同心円を描くように配置される。
なお、第２変形例の第２鍔部４５Ａは、リング状凸部４７を備えていること以外、上述した第２鍔部４５と実質的に同じ構造となる。
【００４２】
このようなリング状凸部４７を備えた第２鍔部４５Ａは、リング状凸部４７の先端部付近が軸穴２２ｂの外周側において、全周にわたって側壁２２ａに線接触してベース本体２２の側壁２２ａに対しクロスフローファン２８側と、側壁２２ａに対しモータ３０側とを分離するシール部を形成するので、面接触の第２鍔部４５と同様のシール機能を有する当接部となる。
そして、突出高さが等しく径の異なる複数のリング状凸部４７を設けておけば、複数段階のシール部を形成することができるので、シール機能の確実性を増すことができる。
【００４３】
また、図３（ｂ）に示す第３変形例の第２鍔部４５Ｂは、リング状凸部４７の突出高さを自由端とした先端部側から基部側へ段階的に増大させている。図示の構成例では３本のリング状凸部４７が同心円状に設けられ、先端部側のリング状凸部４７ａから基部側のリング状凸部４７ｃまで、段階的に突出高さが高くなっている。
このため、複数のリング状凸部４７は、少なくとも一つのリング状凸部４７が側壁２２ａの面に密着して良好なシール性を得ることができる。
【００４４】
このように、上述した本実施形態及びその変形例によれば、室内機ユニット２０のクロスフローファン２８の軸部遮風構造は、クロスフローファン２８と、モータブラケット４０を介してベース本体２２の側壁２２ａの外側に取り付けられるモータ３０とが、側壁２２ａに設けた軸穴２２ｂを通るモータ３０の出力軸３１によって連結されており、ここで使用するモータブラケット４０は、モータ３０の所定の取付位置で側壁２２ａのモータ３０側の面に対して、軸穴２２ｂを取り囲むように直接全周にわたって接する当接部として、モータブラケット４０と一体の第２鍔部４５，４５Ａ，４５Ｂを備えているので、部品点数及び組立作業工数を低減して軸穴２２ｂからのフレッシュエア誘引を確実に防止することができる。
【００４５】
この結果、クロスフローファン２８においては、冷房運転時に誘引したフレッシュエアが冷やされて結露することを確実に防止できるため、結露した水滴が空調空気とともに室内に飛散するようなことはない。従って、上述した室外機ユニット１０及びこの室内機ユニット２０を備えた空気調和機１は、部品点数や組立作業工数の低減とともに、信頼性や商品性を向上させることができる。
なお、本発明は上述した実施形態に限定されることはなく、その要旨を逸脱しない範囲内において適宜変更することができる。
【符号の説明】
【００４６】
１    空気調和機
１０    室外機ユニット
１１，２１    筐体
１２    圧縮機
１３    室外熱交換器
１４    室外ファン
２０    室内機ユニット
２２    ベース本体
２２ａ    側壁
２２ｂ    軸穴
２２ｃ    モータ収納部
２３    フロントカバー
２４    フロントパネル
２５    吸込みグリル（吸込口）
２６    室内熱交換器
２７    吹出口
２８    クロスフローファン
３０    モータ
３１    出力軸
４０    モータブラケット
４１    開口部
４２    第１円筒部
４３    第１鍔部
４４    第２円筒部
４５，４５Ａ，４５Ｂ    第２鍔部
４６    凹部
４７    リング状凸部
５１    遮風部材
【図１】
0006532658.tif 000002
【図２】
0006532658.tif 000003
【図３】
0006532658.tif 000004
【図４】
0006532658.tif 000005
【図５】
0006532658.tif 000006
【図６】
0006532658.tif 000007
【図７】
0006532658.tif 000008
【図８】
0006532658.tif 000009
【図９】
0006532658.tif 000010